Podtech/llm-jp-corpus-v4-ja_patent huggingface dataset:
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
被験者の骨における癌および／または骨における癌がある被験者の骨痛を治療するための、抗癌活性を有し、SEQ ID NO:1のアミノ酸配列を含む有効量のインターフェロンを含む組成物。
【請求項２】
被験者の皮膚癌、皮下腫瘍、粘膜癌および／または粘膜下腫瘍および／または被験者の癌と相関する疼痛を治療するための、抗癌活性を有し、SEQ ID NO:1のアミノ酸配列を含む有効量のインターフェロンを含む組成物。
【請求項３】
前記骨における癌は原発性骨ガンまたは原発性腫瘍から転移してきた二次骨ガンである、請求項1に記載の組成物。
【請求項４】
前記被験者へのインターフェロンの投与は、局部投薬による前記インターフェロンの投与を含む、請求項1または2に記載の組成物。
【請求項５】
前記インターフェロンの局所投薬は、浸潤投薬、経皮投薬、透皮投薬、表皮投薬および粘膜投薬の少なくとも一種を含む、請求項4に記載の組成物。
【請求項６】
前記被験者へのインターフェロンの投与は、前記インターフェロンを、被験者の骨、皮膚、粘膜、及び/又は粘膜下に投与する、又は被験者の骨、皮膚、粘膜、及び/又は粘膜下の上に投与することを含み、前記インターフェロンの濃度が約0.01 mg/mlから約5 mg/mlである、請求項1〜5のいずれか一項に記載の組成物。
【請求項７】
前記インターフェロンの局部投薬は、噴霧による投薬を含む、請求項4〜6のいずれか一項に記載の組成物。
【請求項８】
前記インターフェロンの局部投薬は、約2μgから約2100μgのインターフェロンの投与を含む、請求項4〜7のいずれか一項に記載の組成物。
【請求項９】
噴霧による前記インターフェロンの投与は、1回約6μgから約100μgの量で前記インターフェロンを噴霧投薬することを含む、請求項7に記載の組成物。
【請求項１０】
局部投与のための前記インターフェロンが、乾粉、水溶液、クリーム剤、膜浸透又は拡散薬物デリバリー系統、制御放出薬物デリバリー系統、密封薬物デリバリー系統、透皮貼付剤、又は皮膚下に注射されるインターフェロンを含んで徐放効果を奏するリザーバー型製剤の少なくとも一種に調製されている、請求項4〜9のいずれか一項に記載の組成物。
【請求項１１】
前記インターフェロンは、ナノ粒子、ミクロン粒子、微小球、リポソーム又は制御放出される単一又は複合材料に調製されたものを含む、請求項4〜9のいずれか一項に記載の組成物。
【請求項１２】
前記被験者へのインターフェロンの投与は、さらに全身投薬および／または吸入投薬による前記インターフェロンの投与を含む、請求項1〜11のいずれか一項に記載の組成物。
【請求項１３】
さらに、前記被験者に少なくとも一種の他の抗癌療法を与えることを含む、請求項1〜12のいずれか一項に記載の組成物であって、前記インターフェロンを投与する前、おおよそ同時及び/又はその後に、前記被験者に少なくとも一種の他の抗癌療法を与える、組成物。
【請求項１４】
少なくとも一種の他の抗癌療法は、化学療法、放射線療法、手術療法、介入療法、生物学的療法、標的療法と漢方薬療法の少なくとも一種を含む、請求項13に記載の組成物。
【請求項１５】
前記生物学的療法は、遺伝子治療と免疫治療の少なくとも一種を含み、前記手術療法はアブレーション療法を含む、請求項14に記載の組成物。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
懸濁液中の医薬成分の粒子を処理するための方法であって:
a)高圧ホモジナイゼーション装置を使用することによって、高圧条件下で該懸濁液中の該医薬成分の粒径を低減する工程であって、該高圧条件が500〜3500バールの範囲の圧力である、前記工程；及び
b)粉末の形態で該懸濁液から該粒子を単離する工程であって、該単離工程中に、該懸濁液の少なくとも一部が穏やかな圧力の条件下で該高圧ホモジナイゼーション装置にリサイクルされ、該穏やかな圧力の条件が先に適用される高圧条件未満の任意の圧力であることを特徴とする、前記工程；
を含む、前記方法。
【請求項２】
前記穏やかな圧力の条件が500バール未満である、請求項1記載の方法。
【請求項３】
前記高圧ホモジナイゼーション装置が、ギャップバルブ、ローターステーター、超音波、ホモジナイゼーションセル、又は高シア流体処理を備える、請求項1又は2記載の方法。
【請求項４】
前記粒子単離工程が、乾燥粉末の形態で前記粒子を得るための乾燥プロセスを含む、請求項1から3のいずれか一項記載の方法。
【請求項５】
前記乾燥プロセスが、噴霧乾燥、凍結乾燥、蒸発乾燥、又は流動床乾燥工程を含む、請求項4記載の方法。
【請求項６】
前記懸濁液が、逆溶媒に前記医薬成分を添加することによって形成される、請求項1から5のいずれか一項記載の方法。
【請求項７】
前記逆溶媒が、前記医薬成分が溶解度をまったく示さず、又は低い溶解度を示す任意の媒体、好ましくはメタノール、エタノール、アセトン、酢酸エチル、n-ヘプタン、又は水である、請求項6記載の方法。
【請求項８】
以下のうちの少なくとも1つをさらに含む、請求項1から7のいずれか一項記載の方法：
(i)前記懸濁液が、最適化された穏やかな圧力の条件でHPHユニットに連続的にリサイクルされること；
(ii)前記懸濁液が、安定化剤又は界面活性剤を含有しないこと。
【請求項９】
以下のうちの少なくとも1つをさらに含む、請求項1から8のいずれか一項記載の方法：
(i)前記粒子単離工程中に、処理時間ウィンドウ制限がないこと；
(ii)前記粒径が、前記医薬成分単離工程中に安定化されること。
【請求項１０】
請求項1から9のいずれか一項記載の方法によって得られる、粒子。
【請求項１１】
請求項10に記載の粒子を含む、医薬製剤。
【請求項１２】
懸濁液中の医薬成分の粒子を処理するための装置であって:
(1)該医薬成分及び逆溶媒の懸濁液を形成するためのフィード容器と;
(2)所望の粒径を得るためにリサイクルモードで作動することができる高圧ホモジナイゼーション装置と;
(3)乾燥粉末の形態で該粒子を単離するための懸濁液乾燥デバイスと
を備え、粒子を単離する工程中に該懸濁液の少なくとも一部が穏やかな圧力の条件で該高圧ホモジナイゼーション装置にリサイクルされるように構成されている、前記装置。
【請求項１３】
前記高圧ホモジナイゼーション装置が、ギャップバルブ、ローターステーター、超音波、ホモジナイゼーションセル、又は高シア流体処理を備える、請求項12記載の装置。
【請求項１４】
前記懸濁液乾燥デバイスが、乾燥プロセス、例えば、噴霧乾燥、凍結乾燥、蒸発乾燥、又は流動床乾燥工程などを実施するためのデバイスを備える、請求項12又は13記載の装置。
【請求項１５】
高圧ホモジナイゼーションプロセスを使用して医薬成分の懸濁液から粉末形態で該医薬成分の粒子を得るプロセスにおいて、オストワルド熟成を防止する方法であって、該懸濁液から該粒子を単離する工程中に穏やかな圧力の条件で該懸濁液の少なくとも一部をリサイクルする工程を含む、前記方法。
【請求項１６】
高圧ホモジナイゼーションプロセスを使用して医薬成分の懸濁液から粉末形態で該医薬成分の粒子を得るプロセスにおいて、オストワルド熟成を防止するための、該懸濁液から該粒子を単離する工程中に穏やかな圧力の条件で該懸濁液の少なくとも一部をリサイクルする工程の使用。
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
舌背接続機構と、弾性牽引体と、歯側固定器と、を備える舌背弾性牽引装置であって、
前記舌背接続機構は、舌下垂を防止できる舌粘膜下トンネル式牽引接続機構又は舌背のところに設けられた接続体であり、
前記弾性牽引体は、医療用弾性材料で製造されたもので、外力の作用の下で伸び、復元力を生じ、外力が解除された後、また元の形状に復元可能な弾性帯状体、又は弾性糸状体、又はバネ状体、又は弾性帯状体含有弾性機構、又は弾性糸状体含有弾性機構、又はバネ状体含有弾性機構であり
前記歯側固定器は、前記歯側固定器を支持できる支持架と、前記弾性牽引体を接続可能な弾性牽引体歯側接続機構と、前記歯側固定器を歯、又は歯槽骨、又は上顎、又は下顎、又は上下顎に固定できる歯側固定機構と、を含み、前記弾性牽引体歯側接続機構と前記歯側固定機構が前記支持架に設置され、
力を受ける支点としての前記歯側固定器は、前記歯側固定機構により歯又は歯槽骨に固定されるように適合され、あるいは、上顎唇外、又は下顎唇外、又は上下顎唇外に取り外し可能に固定されるように適合され、
前記弾性牽引体は、一方の端が前記歯側固定器の前記弾性牽引体歯側接続機構に接続され、他方の端が前記舌背接続機構に接続される、舌背弾性牽引装置。
【請求項２】
前記舌背接続機構は、舌の有郭乳頭の前方であって、口腔に沿う縦方向の長さＬが０．１ｃｍ〜５ｃｍ、横方向の幅Ｗが０．２ｃｍ〜６ｃｍ、深さＨが０．１ｃｍ〜１．０ｃｍである舌背領域に設けられている、請求項１に記載の舌背弾性牽引装置。
【請求項３】
前記弾性牽引体が前記歯側固定器と前記舌背接続機構との間に形成した弾性牽引力は、１５ｇ〜３００ｇである、請求項１に記載の舌背弾性牽引装置。
【請求項４】
前記舌背接続機構の前記舌粘膜下トンネル式牽引接続機構は、
舌粘膜下の上皮化したトンネルを形成する移植体であって、前記トンネルは前記移植体が取り外された後に形成される、移植体、又は、
舌粘膜下トンネルを形成する薄壁管状移植物であって、前記舌粘膜下トンネルは前記薄壁管状移植物が移植された後に形成される、薄壁管状移植物、
である、請求項１に記載の舌背弾性牽引装置。
【請求項５】
前記舌背接続機構の前記接続体は、
すべてが舌粘膜下に移植可能な全移植式接続体、又は、
一部が舌粘膜下に移植され、残りの部分が舌粘膜外に露出した半移植式接続体、又は、
舌背粘膜上に固定できる粘膜表面固定式接続体、
である、請求項１に記載の舌背弾性牽引装置。
【請求項６】
前記弾性牽引体は、前記舌背接続機構と接続可能な舌側接続機構を備える、請求項１に記載の舌背弾性牽引装置。
【請求項７】
前記弾性牽引体は、前記歯側固定器と接続可能な歯側接続機構を備える、請求項１に記載の舌背弾性牽引装置。
【請求項８】
前記弾性牽引体は、医療用シリカゲル薄膜、又は医療用エマルジョン薄膜、又は医療用ポリウレタン薄膜、又は医療用ゴム薄膜、又は弾性医療用材料織編物により製造された、厚さが０．０１ｍｍ〜３ｍｍである医療用弾性薄膜又は弾性帯状物である、請求項１に記載の舌背弾性牽引装置。
【請求項９】
前記弾性牽引体は、医療用シリカゲル、又は医療用エマルジョン、又は医療用ポリウレタン、又は医療用ゴム、又は弾性医療用材料織編物により製造された、直径が０．０５ｍｍ〜５ｍｍである医療用弾性線状物である、請求項１に記載の舌背弾性牽引装置。
【請求項１０】
前記弾性牽引体は、舌側接続機構と、弾性変形機構と、歯側接続機構と、を備え、
前記舌側接続機構と前記歯側接続機構は、前記弾性牽引体の両端にそれぞれ設けられ、
前記舌側接続機構には、1つの舌側接続孔が設けられ、
前記歯側接続機構には、少なくとも1つの歯側接続孔が設けられ、
前記弾性変形機構は、前記舌側接続機構と前記歯側接続機構との間に設けられている、請求項１に記載の舌背弾性牽引装置。
【請求項１１】
前記舌背接続機構と前記弾性牽引体とは、一体製造技術により一つの全体を形成して一体型弾性牽引機構を構成でき、
前記一体型弾性牽引機構は、前記舌背接続機構と前記弾性牽引体とを有する、請求項１に記載の舌背弾性牽引装置。
【請求項１２】
前記弾性牽引体における前記歯側接続機構は、磁気的接続方式により前記歯側固定器に接続される、請求項１に記載の舌背弾性牽引装置。
【請求項１３】
前記弾性牽引体における前記舌側接続機構は、磁気的接続方式により前記舌背接続機構に接続される、請求項１に記載の舌背弾性牽引装置。
【請求項１４】
前記歯側固定器の前記支持架は、
上歯又は下歯に固定されるように適合された歯側固定支持架、又は、
歯槽骨に固定されるように適合された歯科用骨ねじ型固定支持架、又は、
上歯又は下歯に取り外し可能に吻合するように適合されたブレース型固定支持架、又は、
上下唇外に取り外し可能に吻合する唇外固定するように適合された支持架、
である、請求項１に記載の舌背弾性牽引装置。
【請求項１５】
前記歯側固定器は、弾性牽引体の牽引力の大きさを調節できる牽引力調節機構を備える、請求項１に記載の舌背弾性牽引装置。
【請求項１６】
前記弾性牽引体又は前記舌背接続機構又は前記歯側固定器は、人体組織とマッチする色を有する、請求項１に記載の舌背弾性牽引装置。
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
被験者のバイタルサイン情報を決定するためのシステムであって、前記システムは、
−  前記被験者の皮膚への適用のためのマーカーであって、前記マーカーは、さらに、第１波長の光を透過する第１マーカーエリアと、第２波長の光を透過する第２マーカーエリアとを有する当該マーカーと、
−  前記マーカーの前記第１マーカーエリア及び前記第２マーカーエリアから受光した放射光を検出するための検出ユニットと、
−  前記第１マーカーエリア及び前記第２マーカーエリアからの前記検出された放射光から前記被験者のバイタルサイン情報を決定するための分析ユニットと
を有する、システム。
【請求項２】
前記検出された放射光中の前記第１マーカーエリア及び前記第２マーカーエリアを識別するための画像処理ユニットをさらに有する、請求項１に記載のシステム。
【請求項３】
前記マーカーを担持するための担持要素をさらに有する、請求項１に記載のシステム。
【請求項４】
前記担持要素は、前記担持要素を前記被験者の皮膚に貼り付けるための接着剤をさらに有する、請求項３に記載のシステム。
【請求項５】
前記第１マーカーエリア及び／又は前記第２マーカーエリアは、前記担持要素に取り付けられる光学フィルタ板を有する、請求項３に記載のシステム。
【請求項６】
前記マーカーは、前記第１マーカーエリアにおける前記被験者の皮膚に適用される第１染料及び／又は前記第２マーカーエリアにおける前記被験者の皮膚に適用される第２染料を有する、請求項１に記載のシステム。
【請求項７】
前記マーカーは、所定の反射特性の基準エリアをさらに有する、請求項１に記載のシステム。
【請求項８】
前記基準エリアは、不透明である、請求項７に記載のシステム。
【請求項９】
前記マーカーは、図形的パターンをさらに有する、請求項１に記載のシステム。
【請求項１０】
前記第１マーカーエリア及び／又は前記第２マーカーエリアは、サブエリアを有する、請求項１に記載のシステム。
【請求項１１】
前記マーカーは、前記マーカーに接触する前記被験者の組織中の血液潅流を増加させるための刺激剤をさらに有する、請求項１に記載のシステム。
【請求項１２】
請求項１に記載のシステムに使用するマーカーであって、
−  第１波長の光を透過する第１マーカーエリアと、
−  第２波長の光を透過する第２マーカーエリアとを有し、
前記マーカーは、前記被験者の皮膚への適用に適合される、
マーカー。
【請求項１３】
請求項１に記載のシステムに使用するデバイスであって、
−  被験者の皮膚に適用されるマーカーの、第１波長の光を透過する第１マーカーエリアと、第２波長の光を透過する第２マーカーエリアとから受光した放射光を検出するための検出ユニットと、
−  前記第１マーカーエリア及び前記第２マーカーエリアからの前記検出された放射光から前記被験者のバイタルサイン情報を決定するための分析ユニットと
を有する、デバイス。
【請求項１４】
被験者のバイタルサイン情報を決定するための方法であって、
−  前記被験者の皮膚に適用されるマーカーの、第１波長の光を透過する第１マーカーエリアと、第２波長の光を透過する第２マーカーエリアとから受光した放射光を検出するステップと、
−  前記第１マーカーエリア及び前記第２マーカーエリアからの前記検出された放射光から前記被験者のバイタルサイン情報を決定するステップと
を有する、方法。
【請求項１５】
プログラムがコンピュータで実行される場合に、前記コンピュータに請求項１４に記載の方法の前記ステップを実行させるためのプログラムコード手段を有する、コンピュータプログラム。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
関心のある被検体の一部を加熱する超音波処置装置であって、
高密度焦点式超音波照射を生成する超音波照射ユニットであって、超音波照射のビーム経路が、関心のある被検体のターゲットゾーン内に超音波エネルギーを堆積させるために軌道に沿って移動可能である、超音波照射ユニットと、
前記軌道に沿って超音波照射のビーム経路を移動させ及び前記ターゲットゾーンに超音波供給量を適用するように、前記超音波照射ユニットを制御する制御ユニットと、
を有し、
前記制御ユニットが、前記ターゲットゾーンの温度情報を入力し、入力した温度情報に基づいて前記超音波照射ユニットを制御し、
前記制御ユニットが、前記軌道に沿った超音波照射のビーム経路の現在方向及び少なくとも１つの以前の方向の温度に基づいて、前記超音波照射ユニットを制御する、超音波処置装置。
【請求項２】
前記超音波照射ユニットが、超音波照射を生成する超音波トランスデューサと、超音波照射のビーム経路を移動させるアクチュエータと、を有する、請求項１に記載の超音波処置装置。
【請求項３】
前記超音波トランスデューサが、回転可能なトランスデューサであり、前記アクチュエータが、回転式アクチュエータである、請求項２に記載の超音波処置装置。
【請求項４】
前記超音波トランスデューサが、軸方向に移動可能なトランスデューサであり、前記アクチュエータが、線形アクチュエータである、請求項２に記載の超音波処置装置。
【請求項５】
前記超音波照射ユニットが、トランスデューサ素子のアレイを有する超音波トランスデューサを有し、超音波照射のビーム経路が、前記トランスデューサ素子の相対的位相を電子的にステアリングすることによって移動可能である、請求項１に記載の超音波処置装置。
【請求項６】
前記超音波照射ユニットが、多重超音波トランスデューサを有し、前記制御ユニットが、各トランスデューサの軌道に沿った超音波照射のビーム経路の現在方向及び少なくとも１つの以前の方向の温度に基づいて、前記多重超音波トランスデューサを個別に制御する、請求項１に記載の超音波処置装置。
【請求項７】
前記超音波照射ユニットが、多重アクチュエータを有し、前記制御ユニットが、各トランスデューサの軌道に沿った超音波照射のビーム経路の現在方向及び少なくとも１つの以前の方向の温度に基づいて、前記多重アクチュエータを個別に制御する、請求項６に記載の超音波処置装置。
【請求項８】
前記制御ユニットが、前記ターゲットゾーンの輪郭の温度情報を入力し、前記制御ユニットが、超音波照射のビーム経路の現在方向及び少なくとも１つの以前の方向に対応する前記ターゲットゾーンの輪郭における温度に基づいて、前記超音波照射ユニットを制御する、請求項１に記載の超音波処置装置。
【請求項９】
請求項１乃至８のいずれか１項に記載の超音波処置装置と、
関心のある被検体のターゲットゾーンの温度情報を供給する診断イメージング装置と、
を有し、前記超音波処置装置の制御ユニットが、前記診断イメージング装置から温度情報を入力する、超音波処置システム。
【請求項１０】
前記診断イメージング装置が、磁気共鳴イメージング装置又は超音波イメージング装置である、請求項９に記載の超音波処置システム。
【請求項１１】
関心のある被検体の一部分を加熱する超音波処置の方法であって、
高密度焦点式超音波照射を生成するステップであって、超音波照射のビーム経路が、関心のある被検体のターゲットゾーン内に超音波エネルギーを堆積させるために軌道に沿って移動可能である、ステップと、
前記軌道に沿って超音波照射のビーム経路を移動させ及び前記ターゲットゾーンに超音波供給量を適用するように、超音波照射を制御するステップと、
前記ターゲットゾーンの温度情報を入力するステップと、
前記入力した温度情報に基づいて超音波照射を制御するステップであって、前記超音波照射の制御が、前記軌道に沿った超音波照射のビーム経路の現在方向及び少なくとも１つの以前の方向の温度に基づく、ステップと、
を含む方法。
【請求項１２】
前記入力した温度情報に基づいて超音波照射を制御する前記ステップが、超音波照射のビーム経路の現在方向及び少なくとも１つの以前の方向におけるターゲット輪郭の温度に基づいて、超音波照射を制御することを含む、請求項１１に記載の方法。
【請求項１３】
超音波処置装置をアップグレードするためのソフトウェアパッケージであって、請求項１１又は１２に記載の方法に従って前記超音波処置装置を制御する命令を含むソフトウェアパッケージ。
【手続補正書】
【提出日】平成29年7月31日(2017.7.31)
【手続補正１】
【補正対象書類名】特許請求の範囲
【補正対象項目名】請求項１４
【補正方法】変更
【補正の内容】
【請求項１４】
少なくとも約５０重量％（Ｎ×６．２５）ｄ．ｂ．のタンパク質含量を有する豆類タンパク質製品を形成する方法であって：
（ａ）豆類タンパク質源を水と混合して、スラリーを形成するステップ、
（ｂ）豆類タンパク質水溶液を、スラリーの他の成分の大半から分離するステップ、
（ｃ）カルシウム塩を豆類タンパク質水溶液に加え、フィチン酸カルシウムを沈殿させるステップ、
（ｄ）第２の分離ステップをカルシウム処理された豆類タンパク質溶液に適用して、沈澱物ならびに最初の分離ステップ（ｂ）において除去されなかったより細かい固体を回収するステップ、
（ｅ）第２の分離ステップで回収された固体物質を洗浄して、不純物を除去するステップ、および
（ｆ）任意選択で、第２の分離ステップで回収され、任意選択で洗浄された固体を乾燥するステップ、
を含む方法。
【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
画像処理を用いて第一の画像に対する医用データを決定するための装置であって、
人若しくは動物の体の一部の特徴をあらわす前記第一の画像を受信するための受信器と、
前記第一の画像からシグネチャの画像関連セットを決定するシグネチャユニットと、
各サンプルがシグネチャのサンプル関連セットと医用データを有する、サンプルのセットを保存するためのサンプルストアと、
前記サンプルのセットの前記シグネチャのサンプル関連セットへの前記シグネチャの画像関連セットの比較に応じて前記サンプルのセットからマッチングサンプルのセットを決定するためのマッチングユニットと、
前記マッチングサンプルのセットのサンプルに含まれる医用データに応じて前記第一の画像に対する医用データを決定するように構成される決定ユニットとを有する、装置。
【請求項２】
前記装置が、前記第一の画像をさらに処理するために、前記サンプルに含まれる医用データに応じて決定される医用データを使用するように構成される、請求項１に記載の装置。
【請求項３】
前記決定ユニットが、同じ診断に対応するサンプルが組み合わされるようにサンプルを照合するように構成される、請求項１に記載の装置。
【請求項４】
前記シグネチャの画像関連セットの少なくとも一部のシグネチャが局所画像情報をあらわす局所シグネチャである、請求項１に記載の装置。
【請求項５】
前記シグネチャユニットが、前記第一の画像を複数の画像セグメントに分割し、各セグメントに対するシグネチャをセグメント内の画像オブジェクトの数として決定するように構成され、前記マッチングユニットが、画像全体に同様のシグネチャの空間分布を持つサンプルを前記サンプルのセットから識別するように構成される、請求項４に記載の装置。
【請求項６】
前記シグネチャユニットが、各々が前記画像セグメントに対する局所シグネチャを決定するために前記画像セグメントのサブセットを処理するように構成される複数の処理素子を持つ並列プロセッサを有する、請求項５に記載の装置。
【請求項７】
前記画像セグメントへの分割が前記第一の画像の画像特性に依存しない、請求項５に記載の装置。
【請求項８】
前記シグネチャユニットがさらに前記第一の画像の画像特性に応じて前記画像セグメントに対する画像セグメントサイズを決定するように構成される、請求項５に記載の装置。
【請求項９】
前記第一の画像において少なくとも一つの画像オブジェクトを検出するための画像オブジェクト検出器をさらに有し、
前記シグネチャユニットが前記画像オブジェクトの特性に応じて前記シグネチャの画像関連セットの少なくとも一つのシグネチャを決定するように構成され、
前記少なくとも一つのシグネチャが第一の画像オブジェクトのモーメントに応じて決定される、請求項１に記載の装置。
【請求項１０】
前記第一の画像において少なくとも一つの画像オブジェクトを検出するための画像オブジェクト検出器をさらに有し、
前記シグネチャユニットが前記画像オブジェクトの特性に応じて前記シグネチャの画像関連セットの少なくとも一つのシグネチャを決定するように構成され、
前記シグネチャユニットが基準への前記特性の比較に応じて前記シグネチャの画像関連セットの少なくとも一つのシグネチャを決定するように構成され、
複数の画像オブジェクトの基準特性に対する画像特性の統計的偏差に応じて前記少なくとも一つのシグネチャが決定される、請求項１に記載の装置。
【請求項１１】
前記シグネチャユニットが基準を満たす画像オブジェクトを検出するように構成され、前記シグネチャの画像関連セットの少なくとも一つのシグネチャが前記基準を満たす画像オブジェクトの局所密度変化に応じて生成される、請求項１に記載の装置。
【請求項１２】
画像処理を用いて第一の画像に対する医用データを決定する方法であって、
人若しくは動物の体の一部の特徴をあらわす第一の画像を受信するステップと、
前記第一の画像からシグネチャの画像関連セットを決定するステップと、
各サンプルがシグネチャのサンプル関連セットと医用データを有する、サンプルのセットを提供するステップと、
前記サンプルのセットの前記シグネチャのサンプル関連セットへの前記シグネチャの画像関連セットの比較に応じて、前記サンプルのセットからマッチングサンプルのセットを決定するステップと、
前記マッチングサンプルのセットに関連する医用データに応じて前記第一の画像に対する医用データを決定するステップとを有する、方法。
【請求項１３】
前記第一の画像をさらに処理するために前記サンプルに含まれる医用データに応じて決定される医用データを使用するステップを有する、請求項１２に記載の方法。
【請求項１４】
同じ診断に対応するサンプルが組み合わされるようにサンプルを照合するステップを有する、請求項１２に記載の方法。
【請求項１５】
前記シグネチャの画像関連セットの少なくとも一部のシグネチャが局所画像情報をあらわす局所シグネチャであり、前記方法が、
前記第一の画像を複数の画像セグメントに分割するステップと、
各セグメントに対するシグネチャをセグメント内の画像オブジェクトの数として決定するステップと、
画像全体に同様のシグネチャの空間分布を持つサンプルを前記サンプルのセットから識別するステップと
を有する、請求項１２に記載の方法。
【請求項１６】
コンピュータ上で実行されるときに請求項１２、１３、１４または１５に記載の全ステップを実行するように構成されるコンピュータプログラムコード手段を有するコンピュータプログラム製品。
【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
エアロゾル発生システム用のキットであって、
エアロゾル発生装置と、適合する、簡単に圧縮されるが弾力性のあるマウスピースカバーと、を備え、前記装置が
エアロゾル形成基質を含むか、または受容するように構成されたハウジングと、
前記ハウジング内に形成された出口であって、使用時に前記エアロゾル形成基質から生成されたエアロゾルが前記出口を通して送達される、出口とを備える装置であり、
前記ハウジングが、開放された環状の窪みが第一の壁と第二の壁との間に画定されるように、前記出口を囲む前記第一の壁と、前記第一の壁を囲む前記第二の壁を備え、前記環状の窪みが前記適合するマウスピースカバーを前記ハウジングに保持するのに適しており、
前記適合するマウスピースカバーが前記環状の窪みに嵌合するように構成された管状セクションを含み、使用時に、エアロゾルを前記出口を通して前記マウスピースカバーを通過してユーザーの口内に送達するよう構成され、
前記エアロゾル発生装置が、喫煙装置であり、複数回の喫煙セッション用に十分なエアロゾル形成基質を収容し、また前記キットが複数のマウスピースカバーを含む、エアロゾル発生システム用のキット。
【請求項２】
前記マウスピースカバーの前記管状セクションが、前記環状の窪み内にスライドするように構成された、請求項1に記載のキット。 
【請求項３】
前記環状の窪みが、前記マウスピースカバーが前記窪みに係合されたときに、前記マウスピースカバーの前記管状セクションが、前記第一の壁と前記第二の壁との間で放射状に圧縮されるような寸法にされる、請求項1または2に記載のキット。
【請求項４】
前記マウスピースカバーが、前記管状セクションに連結されたフィルター部分を備え、前記フィルター部分が前記管状セクションの穴を覆う、請求項1又は2に記載のキット。
【請求項５】
前記取り外し可能なマウスピースカバーが、酢酸セルロースから形成され、紙の層で覆われる、請求項1又は2に記載のキット。
【請求項６】
エアロゾル発生システム用のキットであって、
エアロゾル形成基質を収容するエアロゾル発生システム用の消耗品カートリッジと、    複数の適合する、簡単に圧縮されるが弾力性のあるマウスピースカバーと、を含み、前記適合するマウスピースカバーがそれぞれ管状セクションと管状セクションに連結されたフィルター部分を備え、前記フィルター部分が前記管状セクションの穴を覆う、エアロゾル発生システム用のキット。
【請求項７】
前記エアロゾル発生システムが喫煙システムである、請求項6に記載のキット。
【請求項８】
エアロゾル発生システム用のキットであって、
エアロゾル発生装置と、適合する、簡単に圧縮されるが弾力性のあるマウスピースカバーとを備え、前記装置が
エアロゾル形成基質を含むか、または受容するように構成されたハウジングと、
前記ハウジング内に形成された出口であって、使用時に前記エアロゾル形成基質から生成されたエアロゾルが前記出口を通して送達される出口と、を備える装置であり、
前記ハウジングが、開放された環状の窪みが第一の壁と第二の壁との間に画定されるように、前記出口を囲む前記第一の壁と前記第一の壁を囲む前記第二の壁とを備え、前記環状の窪みが前記適合するマウスピースカバーを前記ハウジングに保持するのに適しており、
前記適合するマウスピースカバーが前記環状の窪みに嵌合するよう構成された管状セクションを含み、使用時に、エアロゾルを前記出口を通して前記マウスピースカバーを通過してユーザーの口内に送達するよう構成され、
前記マウスピースカバーが前記管状セクションに連結されたフィルター部分を備え、前記フィルター部分が前記管状セクションの穴を覆う、エアロゾル発生システム用のキット。
【請求項９】
エアロゾル発生システム用のキットであって、
エアロゾル発生装置と、適合する、簡単に圧縮されるが弾力性のあるマウスピースカバーとを備え、前記装置が
エアロゾル形成基質を含むか、または受容するように構成されたハウジングと、
前記ハウジング内に形成された出口であって、使用時に前記エアロゾル形成基質から生成されたエアロゾルが前記出口を通して送達される出口と、を備える装置であり、
前記ハウジングが、開放された環状の窪みが第一と第二の壁との間に画定されるように、前記出口を囲む前記第一の壁と前記第一の壁を囲む前記第二の壁とを備え、前記環状の窪みが前記適合するマウスピースカバーを前記ハウジングに保持するのに適しており、    また前記適合するマウスピースカバーが前記環状の窪みに嵌合するよう構成された管状セクションを備え、使用時に、エアロゾルを前記出口を通して前記マウスピースカバーを通過してユーザーの口内に送達するよう構成され、
前記取り外し可能なマウスピースカバーが、酢酸セルロースで形成され、紙の層で覆われる、エアロゾル発生システム用のキット。
【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
少なくとも１つの外因性ＮＡＤＰＨ依存性酵素を発現するように適合された組み換え型のカルボキシド栄養性クロストリジウム微生物。
【請求項２】
前記ＮＡＤＰＨ依存性酵素が、ヒドロゲナーゼ、ギ酸デヒドロゲナーゼ、メチレン−ＴＨＦ−デヒドロゲナーゼ、ヒドロキシメチルグルタリル−ＣｏＡ（ＨＭＧ−ＣｏＡ）レダクターゼ、３−ヒドロキシブチリル−ＣｏＡデヒドロゲナーゼ（別名、アセトアセチル−ＣｏＡレダクターゼ）、トランス−２−エノイル−ＣｏＡレダクターゼ、ＮＡＤＨ／ＮＡＤＰＨ共依存性酵素、またはＮＡＤＨ／ＮＡＤＰＨ分岐酵素である、請求項１に記載の微生物。
【請求項３】
前記ヒドロゲナーゼが、分岐ＮＡＤＰ鉄のみのヒドロゲナーゼである、請求項２に記載の微生物。
【請求項４】
前記ギ酸デヒドロゲナーゼが、分岐ＮＡＤＰギ酸デヒドロゲナーゼである、請求項２に記載の微生物。
【請求項５】
前記３−ヒドロキシブチリル−ＣｏＡデヒドロゲナーゼが、ｐｈａＢ（ＥＣ：１．１．１．３６）である、請求項２に記載の微生物。
【請求項６】
前記微生物が、外因性３−ヒドロキシブチリル−ＣｏＡデヒドラターゼｐｈａＪ（ＥＣ：４．２．１．１１９）をさらに含む、請求項５に記載の微生物。
【請求項７】
前記微生物が、外因性ＮＡＤＨ依存性３−ヒドロキシブチリル−ＣｏＡデヒドロゲナーゼｈｂｄ（ＥＣ：１．１．１．１５７）をさらに含む、請求項５に記載の微生物。
【請求項８】
前記トランス−２−エノイル−ＣｏＡレダクターゼが、クロトニル−ＣｏＡレダクターゼ（別名、ブチリル−ＣｏＡデヒドロゲナーゼ）である、請求項２に記載の微生物。
【請求項９】
前記クロトニル−ＣｏＡレダクターゼが、ｃｃｒ（ＥＣ：１．３．１．８６）またはｃｃｒＲｓ（ＥＣ：１．３．１．８５）である、請求項８に記載の微生物。
【請求項１０】
前記微生物が、外因性ＮＡＤＨ依存性クロトニル−ＣｏＡレダクターゼ（別名、ブチリル−ＣｏＡデヒドロゲナーゼ）ｔｅｒ（ＥＣ：１．３．１．４４）をさらに含む、請求項９に記載の微生物。
【請求項１１】
微生物が、親の微生物と比較してＮＡＤＰＨの増加された利用を有する、請求項１に記載の微生物。
【請求項１２】
微生物が、親の微生物と比較して少なくとも１つの発酵生成物の増加された生成を有する、請求項１に記載の微生物。
【請求項１３】
前記ＮＡＤＰＨ依存性酵素のＮＡＤＨ依存性アイソフォームが、親の微生物と比較して弱化又は無力化される、請求項１に記載の微生物。
【請求項１４】
前記微生物が、クロストリジウム・オートエタノゲナム、クロストリジウム・リュングダリイ、クロストリジウム・ラグスダレイ、クロストリジウム・カルボキシジボランス、クロストリジウム・ドラケイ、クロストリジウム・スカトロゲネス、クロストリジウム・アセチクム、クロストリジウム、フォルミコアセチクム、及びクロストリジウム・マグナムからなる群から選択される親の微生物に由来する、請求項１に記載の微生物。
【請求項１５】
前記親の微生物が、クロストリジウム・オートエタノゲナム、クロストリジウム・リュングダリイ、及びクロストリジウム・ラグスダレイからなる群から選択される、請求項１４に記載の微生物。
【請求項１６】
請求項１に記載の微生物の存在下でＣＯを含む基質を発酵させることを含む、少なくとも１つの発酵生成物の製造方法。
【請求項１７】
前記発酵生成物が、エタノール、ブタノール、イソプロパノール、イソブタノール、Ｃ５＋アルコール、ブタンジオール、コハク酸塩、イソプレノイド、脂肪酸及び生体高分子からなる群から選択される、請求項１６に記載の方法。
【請求項１８】
前記基質が、Ｈ２及びＣＯ２の少なくとも１つをさらに含む、請求項１６に記載の方法。
【請求項１９】
前記ＮＡＤＰＨ依存性酵素が、ヒドロゲナーゼ、ギ酸デヒドロゲナーゼ、メチレン−ＴＨＦ−デヒドロゲナーゼ、ヒドロキシメチルグルタリル−ＣｏＡ（ＨＭＧ−ＣｏＡ）レダクターゼ、３−ヒドロキシブチリル−ＣｏＡデヒドロゲナーゼ（別名、アセトアセチル−ＣｏＡレダクターゼ）、トランス−２−エノイル−ＣｏＡレダクターゼ、ＮＡＤＨ／ＮＡＤＰＨ共依存性酵素、またはＮＡＤＨ／ＮＡＤＰＨ分岐酵素である、請求項１６に記載の方法。
【請求項２０】
前記ヒドロゲナーゼが、分岐ＮＡＤＰ鉄のみのヒドロゲナーゼである、請求項１９に記載の方法。
【請求項２１】
前記ギ酸デヒドロゲナーゼが、分岐ＮＡＤＰギ酸デヒドロゲナーゼである、請求項１９に記載の方法。
【請求項２２】
前記３−ヒドロキシブチリル−ＣｏＡデヒドロゲナーゼが、ｐｈａＢ（ＥＣ：１．１．１．３６）である、請求項１９に記載の方法。
【請求項２３】
前記微生物が、外因性３−ヒドロキシブチリル−ＣｏＡデヒドラターゼｐｈａＪ（ＥＣ：４．２．１．１１９）をさらに含む、請求項２２に記載の方法。
【請求項２４】
前記微生物が、外因性ＮＡＤＨ依存性３−ヒドロキシブチリル−ＣｏＡデヒドロゲナーゼｈｂｄ（ＥＣ：１．１．１．１５７）をさらに含む、請求項２２に記載の方法。
【請求項２５】
前記トランス−２−エノイル−ＣｏＡレダクターゼが、クロトニル−ＣｏＡレダクターゼ（別名、ブチリル−ＣｏＡデヒドロゲナーゼ）である、請求項１９に記載の方法。
【請求項２６】
前記クロトニル−ＣｏＡレダクターゼが、ｃｃｒ（ＥＣ：１．３．１．８６）またはｃｃｒＲｓ（ＥＣ：１．３．１．８５）である、請求項２５に記載の方法。
【請求項２７】
前記微生物が、外因性ＮＡＤＨ依存性クロトニル−ＣｏＡレダクターゼ（別名、ブチリル−ＣｏＡデヒドロゲナーゼ）ｔｅｒ（ＥＣ：１．３．１．４４）をさらに含む、請求項２６に記載の方法。
【請求項２８】
微生物が、親の微生物と比較してＮＡＤＰＨの増加された利用を有する、請求項１６に記載の方法。
【請求項２９】
微生物が、親の微生物と比較して少なくとも１つの発酵生成物の増加された生成を有する、請求項１６に記載の方法。
【請求項３０】
前記ＮＡＤＰＨ依存性酵素のＮＡＤＨ依存性アイソフォームが、親の微生物と比較して弱化又は無力化される、請求項１６に記載の方法。
【請求項３１】
前記微生物が、クロストリジウム・オートエタノゲナム、クロストリジウム・リュングダリイ、クロストリジウム・ラグスダレイ、クロストリジウム・カルボキシジボランス、クロストリジウム・ドラケイ、クロストリジウム・スカトロゲネス、クロストリジウム・アセチクム、クロストリジウム、フォルミコアセチクム、及びクロストリジウム・マグナムからなる群から選択される親の微生物に由来する、請求項１６に記載の方法。
【請求項３２】
前記親の微生物が、クロストリジウム・オートエタノゲナム、クロストリジウム・リュングダリイ、及びクロストリジウム・ラグスダレイからなる群から選択される、請求項３１に記載の方法。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
タグ付DNAフラグメントの固定化ライブラリーを調製する方法であって、
（a）固形支持体で、それに固定化されたトランスポソーム複合体を有するものを用意することであり、前記トランスポソーム複合体の各々には、第一および第二ポリヌクレオチドが含まれる二重鎖核酸の第一ポリヌクレオチドに非共有結合的に結合するトランスポサーゼが含まれ、前記第一ポリヌクレオチドは前記固形支持体に固定化され、および前記第一ポリヌクレオチドには、
（i）トランスポゾン端部配列を含む3'部分、および
（ii）第一タグドメインを含む第一タグ
が含まれ、
および前記第二ポリヌクレオチドには、前記トランスポゾン端部配列に相補的な領域が含まれること、
（b）標的DNAがトランスポソーム複合体によってフラグメント化され、および第一ポリヌクレオチドの3'トランスポゾン端部配列がフラグメントの少なくとも一方のストランドの5'端に移されるところの条件下に、標的二重鎖DNAを固形支持体に適用することであり、それによって、少なくとも一つのストランドが第一タグで5'タグ付けされる二重鎖フラグメントの固定化されたライブラリーが生成されること
を含む、方法。
【請求項２】
第一ポリヌクレオチドの3'トランスポゾン端部配列は、フラグメント化標的二重鎖DNAの双方のストランドの5'端に移される、請求項1の方法。
【請求項３】
さらに、任意の未結合核酸を除去するために固形支持体を洗浄することが含まれる、請求項1または2の方法。
【請求項４】
トランスポソーム複合体は、mm2あたり少なくとも103、104、105、106の複合体の密度で固形支持体に存在するか、または前記トランスポソーム複合体には、機能亢進性Tn5トランスポサーゼが含まれる、請求項1-3のいずれか一項の方法。
【請求項５】
前記固定化されたライブラリーにおいて二重鎖フラグメントの長さは、前記固形支持体に存在するトランスポソーム複合体の密度を増加または減少させることによって調整される、請求項1-4のいずれか一項の方法。
【請求項６】
前記固形支持体に存在するタグの少なくとも50％、55％、60％、65％、70％、75％、80％、85％、90％、95％、96％、97％、98％、99％には、同じタグドメインが含まれる、請求項1-5のいずれか一項の方法。
【請求項７】
さらに、
（c）溶液においてトランスポソーム複合体を用意すること、および標的DNAがトランスポソーム複合体溶液によってさらにフラグメント化されるところの条件下で前記トランスポソーム複合体を固定化されたフラグメントと溶液において接触させることであり、それによって一端部を有する固定化された核酸フラグメントが溶液において得られること
が含まれる、請求項1-6のいずれか一項の方法。
【請求項８】
溶液においてトランスポソーム複合体には、第二タグが含まれ、それによって第二タグを有する固定化された核酸フラグメントが溶液において生成する、請求項7の方法。
【請求項９】
第一および第二タグは異なる、請求項8の方法。
【請求項１０】
溶液において前記トランスポソーム複合体の少なくとも50％、55％、60％、65％、70％、75％、80％、85％、90％、95％、96％、97％、98％、99％には、第二タグドメインを含む第二タグが含まれる、請求項7-9のいずれか一項の方法。
【請求項１１】
さらに、ポリメラーゼおよび第一ポリヌクレオチドの一部分に対応する増幅プライマーを提供することによって固形表面でフラグメントを増幅することが含まれる、請求項7の方法。
【請求項１２】
前記タグドメインには、クラスター増幅のための領域、または配列決定反応をプライミングするための領域が含まれる、請求項1の方法。
【請求項１３】
固形支持体には、微粒子、またはパターン化された表面、またはウェルが含まれる、請求項1の方法。
【請求項１４】
請求項1-13のいずれか一項の方法に従って調製される固定化されたタグ付DNAフラグメントのライブラリーを有する固形支持体。
【請求項１５】
固形支持体であって、それに固定化されたトランスポソーム複合体を有するものであり、各トランスポソーム複合体には、第一および第二ポリヌクレオチドが含まれる二重鎖核酸の第一ポリヌクレオチドに非共有結合的に結合するトランスポサーゼが含まれ、前記第一ポリヌクレオチドは前記固形支持体に固定化され、および前記第一ポリヌクレオチドには、
（i）トランスポゾン端部配列を含む3'部分、および
（ii）第一タグドメインを含む第一タグ
が含まれ、
および前記第二ポリヌクレオチドには、前記トランスポゾン端部配列に相補的な領域が含まれる、固形支持体。
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
生体物質のマイクロマニピュレーションのための装置であって、前記装置は貯留層を有する容器を含み、前記容器は前記貯留層の一部に形成されたチャンネルを有し、前記チャンネルは前記生体物質の通過に抵抗するが液体処理溶液の通過を許容するように寸法が与えられた中間絞りを含み、前記チャンネルは０．０１ｍｍから０．０９ｍｍの範囲の厚さの壁を有する、装置。
【請求項２】
前記チャンネルは、胚を少なくとも僅かな溶液内に保持／位置決めする、０．０４μｌから０．３０μｌまでの間の容積を有するディボットを更に含む、請求項１に記載の装置。
【請求項３】
生体物質及び液体処理溶液に晒されたチャンネルの表面は、流体が上記チャンネルの表面上を濡らし広がるように処理されている表面である、請求項１又は２に記載の装置。
【請求項４】
前記壁厚さは０．０８ｍｍ〜０．１２ｍｍの範囲である、請求項１から請求項３のいずれか１項に記載の装置。
【請求項５】
前記装置は、ＬＮ２の装置への進入を防止するように構成された材料構造を有する、請求項１から請求項４のいずれか１項に記載の装置。
【請求項６】
温度環境を制御するためのソフトウェア操作可能手段と、
液体処理溶液を前記生体試料につける（加える）ための流体ディスペンス体積及び速度と吸入体積及び速度とを制御するためのソフトウェア操作可能な手段と、
プロトコル時間を制御するためのソフトウェア操作可能手段と
の内の１つ又は組合せを含む、生体試料のガラス化のためのシステムであって、
請求項１から請求項５のいずれか１項に記載の装置を利用するように構成された、システム。
【請求項７】
前記温度は１９℃から３７℃の範囲で制御される、請求項６に記載のシステム。
【請求項８】
前記流体注入及び吸入体積は０．１μｌから１５μｌの範囲、精密には１μｌ±０．２μｌから１０μｌ±１μｌの範囲に制御される、請求項６に記載のシステム。
【請求項９】
前記流体注入及び吸入速度は０．０１μｌ／ｓから５μｌ／ｓの範囲に制御される、請求項６に記載のシステム。
【請求項１０】
生体物質をマイクロマニピュレートするためのシステムであって、前記システムは、固定されたアセンブリに各単軸ロボットアームが取り付けられた、独立した前記単軸ロボットアームの内の１つ又は組み合わせを含み、ロボットアームの組み合わせは、少なくとも２つの自由度における移動のための広範囲座標システムを提供し、前記システムは、次のプロセスステップ、即ち、胚ロード、平衡、ヒートシール、ガラス化の内の２つ又は組合せを通して、請求項１から５に記載されているように装置をハンドルすることに適合している、システム。
【請求項１１】
請求項１から５のいずれか１項に記載されている装置を利用して生体物質をマイクロマニピュレートするための方法であって、前記方法は、
緩衝液中の装置に少なくとも１つの胚をロードする工程と、
所定流量で前記緩衝溶液を平衡溶液で置換する工程と、
前記ロードした胚を所定平衡期間、前記平衡溶液内で平衡に保つ工程と、
所定流量で前記平衡溶液をガラス化溶液で置換する工程と、
前記装置をヒートシールする工程と、
液体冷却槽内に前記装置を沈める工程と、を含む方法。
【請求項１２】
生体物質をマイクロマニピュレートするように構成された装置であって、前記装置は所定の指示セットに従って動作するように構成されたプロセッサ手段を含み、前記指示セットに連動して前記装置は、請求項１１に記載された方法ステップに関わるタイミングと温度とディスペンス体積と流量とを制御するように構成されている、装置。
【請求項１３】
胚への浸透圧衝撃を減少させると共に凍結保存品質を高めるように前記ガラス化溶液の濃度の徐々なる上昇を考慮するために、前記装置内で流体交換を制御することに適合したコンピュータソフトウェアを、前記指示セットは含む、請求項１２に記載の装置。
【請求項１４】
前記液体冷却槽はＬＮ２を含み、前記指示セットに連動して前記装置はＬＮ２の前記液体冷却槽への及び該冷却槽からの移送を自動化することに適合する、請求項１３に記載の装置。
【請求項１５】
コンピュータプログラムであって、コンピュータプロセッサが起動された際に、請求項１１に記載の方法ステップを実行する指示を含み、前記指示は、胚への浸透圧衝撃を減少させると共に凍結保存品質を高めるように前記ガラス化溶液の濃度の徐々なる上昇を考慮するために、前記装置内で流体交換を制御することに適合している、コンピュータプログラム。